(57)【要約】【課題】標準的な階高、軒高で上階と下階との間に天井裏収納室を備える住宅を標準的な階高、軒高の施工コストに近い施工コストで提供する。【解決手段】下階Ａの天井と上階Ｂの床との間に天井裏収納室Ｈを備える住宅Ｗであって、この天井裏収納室Ｈが、下階Ａの天井面Ａｂから下方に下げられた下げ天井部Ａｂ’を収納室床部Ｈａとし、かつ、上階Ｂの床面Ｂａから上方に上げられた上げ床部Ｂａ’を収納室天井部Ｈｂとしてある。【選択図】図３
2007120228.tif 000002
【特許請求の範囲】
【請求項１】
下階の天井と上階の床との間に天井裏収納室を備える住宅であって、
この天井裏収納室が、下階の天井面から下方に下げられた下げ天井部を収納室床部とし、かつ、上階の床面から上方に上げられた上げ床部を収納室天井部としてあることを特徴とする住宅。
【請求項２】
前記天井裏収納室が、上階における居室の窓側壁部から当該居室の入り口側に向けた任意位置までの間に備えられていることを特徴とする請求項１に記載の住宅。
【請求項３】
前記天井裏収納室が、上階における居室の窓側壁部と当該居室の入り口側壁部とにわたって備えられていることを特徴とする請求項１に記載の住宅。
【発明の詳細な説明】
【技術分野】
【０００１】
この発明は、天井裏収納室を備える住宅を、標準的な階高や、標準的な軒高を備えた住宅として比較的低コストで提供しようとするものである。
【背景技術】
【０００２】
一般的に、住宅内における快適な居住性を高めるために当該住宅内に必要且つ十分な収納空間を用意し、日常用いられる生活空間内において不要とされる物を当該収納空間内に納め入れて、スッキリとした居住空間内にして生活することが望まれている。
【０００３】
かかる住宅内における収納空間は、例えば、独立した納戸、各居室等に備えられる押入、廊下突き当たりに備えられる廊下収納、階段下に備えられる階段下収納、ウオーキングクロゼット等各種の形態で住宅内に組み込まれている。
【０００４】
しかしながら、このように平面的な広がりの要請される収納空間を住宅内に設けることは敷地面積や建築予算等から制約を受けることが多く、やむなく床下収納や小屋裏収納によって収納空間を確保することが試みられてきた。
【０００５】
かかる床下収納や小屋裏収納は、収納対象物によっては、より効果的な収納空間として用い得るものの、多種、多様な一般的収納物の収納手段として用いるには難があった。
【０００６】
かかる点から近時、特許文献１に開示されているように下階と上階との間に中間階を設け、この中間階を収納空間として用いることが試みられている。
【特許文献１】特開２００４−３４６５２５
【発明の開示】
【発明が解決しようとする課題】
【０００７】
この特許文献１では、上階と下階の間に中間階を有する建物であって、前記下階に配置された居住空間と、前記中間階の前記居住空間の上に配置された収納室とを備え、前記居住空間の天井の一部が前記中間階の天井の高さに達している中間階を有する建物が開示されている。
【０００８】
しかしながら、かかる中間階を有する建物では、上階と下階との間に中間階が設けられ、しかも、下階における天井高さを中間階の天井高さとしてあることから、下階の階高を標準的な仕様における階高に対して１００ｃｍ以上高くして構成する必要があり、構造躯体、外装、内装、設備配管、階段の段数の増加、場合によっては踊り場の別途設置等に伴って、標準施工に対して施工コストが著しく割高となる不具合があった。
【０００９】
また、下階の階高が著しく高くなることから全体的な意匠的調和性を欠き、不自然な形態となり、また、下階の内部においても極端に天井の高い居住部分を生ずることから、自然な居住性を損なう不具合があった。また、このように階高が著しく高められた階を備える住宅は法規制の面で種々の対応がせまられる不具合があった。
【００１０】
この発明は、住宅における縦方向に無理なく収納室を設け得るようにした住宅の提供を目的として提案されたものである。
【課題を解決するための手段】
【００１１】
この発明は、前記課題を解決するために、下階の天井と上階の床との間に天井裏収納室を備える住宅であって、
この天井裏収納室が、下階の天井面から下方に下げられた下げ天井部を収納室床部とし、かつ、上階の床面から上方に上げられた上げ床部を収納室天井部としてあることを特徴とする住宅としてある。
【００１２】
このように構成される住宅にあっては、効果的に用い得る天井裏収納室を標準的な仕様の階高、軒高の住宅において、その下階と上階との間に設けることができる。
【００１３】
また、このように効果的に用い得る天井裏収納室を備える住宅を標準的な仕様の階高、軒高の住宅における施工コストに近い施工コストで構成することができる。
【００１４】
また、このように効果的に用い得る天井裏収納室を備える住宅を、標準的な仕様の階高、軒高の住宅としての意匠性を損なうことなく構成することができる。
【００１５】
また、天井裏収納室の備えられた上階の居住空間における床面に上げ床部が設けられ、独特の趣のある居住空間を構成することができる。
【００１６】
また、前記構成に係る住宅において、前記天井裏収納室を、上階における居室の窓側壁部から当該居室の入り口側に向けた任意位置までの間に備えるようにした住宅にあっては、上階の居住空間が、その居住空間内の入り口側に対して窓側床部を高くしたスキップフロアとすることができ、趣のある居住感をもたらすことができる。
【００１７】
また、前記構成に係る住宅にあって、前記天井裏収納室を、上階における居室の窓側壁部と当該居室の入り口側壁部とにわたって備えるようにした住宅にあっては、廊下等から当該居住空間に立ち入る際に、当該居住空間の床面を廊下等の床面よりも高い床面とすることができ、当該居住空間に対する出入りに趣のある居住感をもたらすことができる。
【発明の効果】
【００１８】
この発明に係る住宅は、標準的な階高、軒高の住宅の施工コストに近い施工コストをもって、標準的な階高、軒高の住宅における意匠性を損なうことなく、しかも、法規制面で不利益を被ることなく、標準的な仕様の階高、軒高のままで、上階と下階との間に、効果的に用い得る天井裏収納室を構成できる住宅を提供する。
【発明を実施するための最良の形態】
【００１９】
以下、図１〜図８に基づいて、この発明を実施するための最良の形態に係る住宅Ｗについて説明する。
【００２０】
なお、ここで図１〜図４は当該発明を実施するための最良の形態に係る典型的な第１の住宅例を、図５〜図８は当該発明を実施するための最良の形態に係る典型的な第２の住宅例を示しており、図１は当該第１の典型的な実施形態に係る住宅Ｗの下階部分を水平向きで断面して上方から見て、図２は、その上階部分を水平向きで断面して上方から見て、図３は、この住宅Ｗを図２におけるＶ−Ｖ線位置で縦向きに断面して矢視の向きで見て、図４は、図３におけるＸ−Ｘ線位置で水平断面して矢視の向きで見て示している。図５は当該第２の典型的な実施形態に係る住宅Ｗの下階部分を水平向きで断面して上方から見て、図６は、その上階部分を水平向きで断面して上方から見て、図７は、この住宅Ｗを図６におけるＹ−Ｙ線位置で縦向きに断面して矢視の向きで見て、図８は、図７におけるＺ−Ｚ線位置で水平断面して矢視の向きで見て示している。
【００２１】
当該発明を実施するための最良の形態に係る住宅Ｗは、下階Ａの天井と上階Ｂの床との間に天井裏収納室Ｈを備える住宅Ｗであって、この天井裏収納室Ｈが、下階Ａの天井面Ａｂから下方に下げられた下げ天井部Ａｂ’を収納室床部Ｈａとし、かつ、上階Ｂの床面Ｂａから上方に上げられた上げ床部Ｂａ’を収納室天井部Ｈｂとしてあって、これらの上げ床部Ｂａ’が上階Ｂの床として各種荷重に耐え得る強度を備えたものとしてあり、かつ、収納室床部Ｈａが天井裏収納室Ｈとして各種荷重に耐え得る強度を備えた床を構成するようにしてある。
【００２２】
かかる住宅Ｗは、下階Ａと上階Ｂとを備える住宅Ｗであれば、いわゆる戸建て住宅であっても、また、集合住宅であってもよい。また、木造、鉄筋コンクリート造、鉄骨鉄筋コンクリート造等いかなる材によって構成してあっても、いかなる工法によって構成してあってもよい。
【００２３】
また、かかる住宅Ｗは、下階Ａと上階Ｂとを備える住宅Ｗであれば、当該下階Ａと上階Ｂとが内階段等によって連絡された同一の居住空間としてあっても、当該下階Ａと上階Ｂとが遮断された独立の居住空間、例えば、独立した別の住戸として構成してあってもよい。
【００２４】
また、天井裏収納室Ｈは、下階Ａと上階Ｂとの間に構成してあれば、いかなる場所に構成してあっても、また、一個又は一個以上の複数の天井裏収納室Ｈとしてあってもよい。また、複数備えられた天井裏収納室Ｈにあっては、各天井裏収納室Ｈが独立した状態で備えられていても、一部又は前部が連通した状態に備えられていてもよい。
【００２５】
また、この下階Ａの天井裏に備えられる天井裏収納室Ｈは、当該天井裏収納室Ｈにおける収納室床部Ｈａと収納室天井部Ｈｂとを備えて構成されておれば、いかなる態様に構成してあってもよく、その収納室床部Ｈａと収納室天井部Ｈｂとで構成される空間を巡るように周囲を周壁によって囲むように構成してあっても、また、当該住宅Ｗを構成する各壁、例えば、外壁１１、界壁１３その他の間仕切り壁Ｈｃ等によって囲むように構成してあっても、また、さらに、他の仕切り材によって囲むように構成してあってもよく、あるいは、当該天井裏収納室Ｈを構成する収納室床部Ｈａと収納室天井部Ｈｂとの間の側方を開口した状態に構成してあっても、また、当該天井裏収納室Ｈの間仕切り壁Ｈｃに、明かり取り窓や、出入り用開口等を設けるようにしてあってもよく、例えば、一般的なロフト状に構成してあってもよい。また、かかる天井裏収納室Ｈが、その周壁を巡るように囲まれた構成としてある場合、この天井裏収納室Ｈに出入りするための開口を開閉蓋を備え、又は、開閉蓋を備えない状態で当該周壁部分や天井裏収納室Ｈの床部Ｈａに設け、この出入り口Ｈｄを用いて当該天井裏収納室Ｈに対する収納物の出し入れをなすようにしてあってもよい。
【００２６】
また、かかる天井裏収納室Ｈに出入りする手段は、当該天井裏収納室Ｈの構成態様や、その使用態様等によって各種の出入り方法によることができ、梯子、階段、脚立、踏み台等の各種の昇降手段Ｈｅを備え付け用意する以外に、必要に応じて外部から各種の昇降手段Ｈｅを持ち込み用いるようにしてあってもよい。
【００２７】
このように構成される住宅Ｗにあっては、効果的に用い得る天井裏収納室Ｈを標準的な仕様の階高、軒高の住宅Ｗにおいて、その下階Ａと上階Ｂとの間に設け得る特長を有する。
【００２８】
また、このように効果的に用い得る天井裏収納室Ｈを備える住宅Ｗを標準的な仕様の階高、軒高の住宅Ｗにおける施工コストに近い施工コストで構成できる利点を有する。
【００２９】
また、このように効果的に用い得る天井裏収納室Ｈを備える住宅Ｗを、標準的な仕様の階高、軒高の住宅Ｗとしての意匠性を損なうことなく構成できる特長を有する。
【００３０】
また、天井裏収納室Ｈの備えられた上階Ｂの居住空間における床面Ｂａが上げ床部Ｂａ’によってスキップフロアとされており、独特の趣のある居住空間を構成できる特長を有する。
【００３１】
また、前記構成に係る天井裏収納室Ｈを、上階Ｂにおける居室２０の窓側壁部（外壁１１ａ）から当該居室２０の入り口側に向けた任意位置までの間に備えるようにした場合にあっては、その上階Ｂの居室２０が、その入り口側の床面Ｂａから窓側で高くなるスキップフロアとした態様で用いることができ、趣のある居住感を居住者にもたらすことができる特長を有する。
【００３２】
また、前記天井裏収納室Ｈを、上階Ｂにおける居室２０の窓側壁部１１ａと当該居室２０の入り口側の間仕切り壁２７とにわたって備えるようにした住宅Ｗにあっては、廊下等の床面Ｂａから当該居室２０に対して上がり込むように立ち入り用いることができ、当該居室２０に対する出入りに趣のある居住感をもたらし得る特長を有する。
【００３３】
まず、図１〜図４に示される典型的な住宅Ｗについて具体的に説明する。
この図示例に係る住宅Ｗは、下階Ａの天井と上階Ｂの床との間に天井裏収納室Ｈを備える住宅Ｗであって、この天井裏収納室Ｈが、下階Ａの天井面Ａｂから下方に下げられた下げ天井部Ａｂ’を収納室床部Ｈａとし、かつ、上階Ｂの床面Ｂａから上方に上げられた上げ床部Ｂａ’を収納室天井部Ｈｂとしてある。
【００３４】
かかる図示例の住宅Ｗは、下階Ａと上階Ｂとにそれぞれ独立した住戸Ｗ’、Ｗ’、Ｗ’…を備える二階建の集合住宅であって、下階Ａ及び上階Ｂのいずれにあっても界壁１３を境にして玄関２２を隣り合わせるようにして構成してあり、当該界壁１３と外壁１１とで囲まれた住空間内を一住戸分として構成してある。
【００３５】
かかる住宅Ｗを構成する各住戸Ｗ’は、通路１５に沿って備えられている外壁１１のドア１２ａから玄関２２に入り込み得る構成としてあり、この玄関２２に連続して床面Ａａ、Ｂａと天井面Ａｂ、Ｂｂ間に各種設備が設けてある。まず。玄関２２から設けられている廊下２１の一方の側に窓１２ｂを備えたトイレット２４及びキッチン２１ａを、また、他方の側に浴室２３と洗面ルーム２５とが並ぶように設けてあり、廊下２１の突き当たりに間仕切り壁２７が設けてあって、この間仕切り壁２７に備えられている開口に居室２０、この図示例にあっては洋室２０’のドア２０ａが設けてあり、当該ドア２０ａから洋室２０’に出入りし得る構成としてある。
【００３６】
かかる住宅Ｗの各住戸Ｗ’に備えられる洋室２０’は、当該間仕切り壁２７と外壁１１及び界壁１３とで囲まれた構成としてあり、前記洗面ルーム２５の側に向けてクローゼット２６を備えるようにしてあり、また、ベランダ１４に掃き出し窓１２ｃから出入りし得るようにしてある。
【００３７】
かかる住宅Ｗの各住戸Ｗ’における上階Ｂの洋室２０’には、その屋根裏に近い上部位置に、前記間仕切り壁２７から掃き出し窓１２ｃを備えた外壁１１ａに向けて水平に突き出すロフト１６を設けてあり、このロフト１６に備えられている出入り用の開口１６ｂ、より具体的には、開閉蓋を備えたハッチ１６ｂ’から梯子１６ａ’等の昇降手段１６ａを用いて当該ロフト１６に出入りし得るようにしてある。
【００３８】
かかるロフト１６を備えた上階Ｂの洋室２０’に対応する下階Ａに備えられている洋室２０’としての居室２０が天井裏収納室Ｈを備える構成とし、その使い勝手を良好としている。
【００３９】
この図示例に係る天井裏収納室Ｈは、前記掃き出し窓１２ｃの備えられている外壁１１ａに沿うようにして、この外壁１１ａから所定の幅で当該洋室２０’内に備えられる構成としてある。
【００４０】
この図示例に係る天井裏収納室Ｈは、下階Ａにおける天井面Ａｂの下方に下げられた下げ天井部Ａｂ’と、上階Ｂにおける床面Ｂａの上方に上げられた上げ床部Ｂａ’との間に構成するようにしてある。すなわち、下げ天井部Ａｂ’を天井裏収納室Ｈにおける収納室床部Ｈａとし、また、上げ床部Ｂａ’を当該天井裏収納室Ｈの収納室天井部Ｈｂとして構成し、当該天井裏収納室Ｈを各種物品の収納可能な空間とし、且つ上げ床部Ｂａ’を上階Ｂにおける床として機能するようにしてある。
【００４１】
かかる天井裏収納室Ｈは、より具体的には、下階Ａにおいて下方に下げられた天井面Ａｂの下げ天井部Ａｂ’を天井裏収納室Ｈの収納室床部Ｈａとし、また、上階Ｂにおいて床面Ｂａから上方に上げられた上げ床部Ｂａ’を当該天井裏収納室Ｈの収納室天井部Ｈｂとして構成される。かかる天井裏収納室Ｈにおける収納室床部Ｈａから収納室天井部Ｈｂに到る高さは、例えば、８０ｃｍ〜１４０ｃｍとなるように構成する。また、好ましくは、当該天井裏収納室Ｈにおける収納室床部Ｈａから収納室天井部Ｈｂに到る高さが、９０ｃｍ〜１３０ｃｍとなるように構成する。また、より好ましくは、当該天井裏収納室Ｈにおける収納室床部Ｈａから収納室天井部Ｈｂに到る高さが、９５ｃｍ〜１２５ｃｍとなるように構成する。
【００４２】
かかる天井裏収納室Ｈの構成に際して、上階Ｂにおける上げ床部Ｂａ’を、上階Ｂにおける床面Ｂａから上方に位置づけるように構成する。例えば、上階Ｂにおける上げ床部Ｂａ’を、上階Ｂにおける床面Ｂａから上方に１０ｃｍ〜４５ｃｍ上げた位置に構成する。また、好ましくは上階Ｂにおける上げ床部Ｂａ’を、上階Ｂにおける床面Ｂａから上方に２０ｃｍ〜４０ｃｍ上げた位置に構成する。また、より好ましくは上階Ｂにおける上げ床部Ｂａ’を、上階Ｂにおける床面Ｂａから上方にほぼ４０ｃｍ上げた位置に構成する。このように上階Ｂにおける上げ床部Ｂａ’を、上階Ｂにおける床面Ｂａから上方に位置づけるように構成することで、下階Ａにおける下げ天井部Ａｂ’の下げ幅を極力少なくすることができる。
【００４３】
このように上階Ｂにおける床面Ｂａを上方に段違い状に高めた、いわゆる上げ床部Ｂａ’とし、また、下階Ａの天井面Ａｂを必要最小限に下方に段違い状に低めた、いわゆる下げ天井部Ａｂ’として、この両者間に、好ましくは、天井裏収納室Ｈに座った状態で頭が当該天井裏収納室Ｈの収納室天井部Ｈｂの天井面内に納まる程度の高さを備えた天井裏収納室Ｈを構成する。
【００４４】
この図示例にあっては前記外壁１１ａ位置から洋室２０’における間仕切り壁２７側に向けて天井裏収納室Ｈが設けてあり、更に具体的には当該天井裏収納室Ｈを当該外壁１１ａの位置から間仕切り壁２７側に向けた一定幅で、当該洋室２０’の掃き出し窓１２ｃに沿った全幅にわたるように設けてあり、下階Ａの居住者には、さほどの圧迫感をもたらすことなく収納量の大きい天井裏収納室Ｈを提供できると共に、上階Ｂの居住者には、掃き出し窓１２ｃ側に一段高いスキップフロアとしての空間が提供されることから、ドア２０ａから洋室２０’に入って当該洋室を床面Ｂａで用いる際には落ち着いた雰囲気を、また上げ床部Ｂａ’を用いる際には晴れやかな雰囲気を、日常的な居住性を何等損なうこと無く、それぞれに味わい得る特長を備えている。
【００４５】
この図示例にかかる住宅Ｗにあっては、上階Ｂと下階Ａとの間に構成される天井裏収納室Ｈは、その収納室床部Ｈａと収納室天井部Ｈｂとの間を外壁１１、界壁１３、仕切り壁Ｈｃその他適宜の仕切り壁材によって囲まれた密閉収納空間として構成してあり、当該天井裏収納室Ｈを構成する収納室床部Ｈａ、すなわち、下階Ａにおける下げ天井部Ａｂ’にハッチＨｄ’状に出入り口Ｈｄを設け、界壁１３に備え付けの昇降手段Ｈｅとしての梯子Ｈｅ’を用いて随時当該天井裏収納室Ｈに収納物の出し入れをなし得るようにしてある。
【００４６】
なお、この図示例にあっては、上階Ｂにおける床面Ｂａと上げ床部Ｂａ’との間に段部Ｂａ”を設け、床面Ｂａと上げ床部Ｂａ’間の円滑な往来と、上階Ｂにおける床面Ｂａの意匠性を高めるようにしてある。
【００４７】
このように構成される住宅Ｗにあっては、標準的な仕様の階高、軒高のままで前記天井裏収納室Ｈを設けることができ意匠的な不具合を生ずることが無く、施工コストも比較的低く抑えることができる。また、かかる図示例の構成からなる住宅Ｗにあっては、標準的な仕様の階高、軒高とされることから法規制上における不利益を生ずることがない。
【００４８】
ついで図５〜図８に示される他の典型的な住宅Ｗについて具体的に説明する。
この図示例に係る住宅Ｗは、下階Ａの天井と上階Ｂの床との間に天井裏収納室Ｈを備える住宅Ｗであって、この天井裏収納室Ｈが、下階Ａの天井面Ａｂから下方に下げられた下げ天井部Ａｂ’を収納室床部Ｈａとし、かつ、上階Ｂの床面Ｂａから上方に上げられた上げ床部Ｂａ’を収納室天井部Ｈｂとしてある。
【００４９】
この図５〜図８において示される住宅Ｗにあっては、前記天井裏収納室Ｈを掃き出し窓１２ｃの備えられている外壁１１ａから、居室２０としての洋室２０’のドア２０ａに到る間、すなわち、上階Ｂにあって外壁１１ａと間仕切り壁２７との間にある洋室２０’の床面Ｂａの全てを上げ床部Ｂａ’として、廊下２１に段部Ｂａ”を設けるようにして、この廊下２１から当該段部Ｂａ”を上がり込む態様でドア２０ａから当該洋室２０’に立ち入りうる構成とし、また、これに対応する下階Ａにおける洋室２０’の天井面Ａｂを下方に下げた下げ天井部Ａｂ’として、この下げ天井部Ａｂ’と上げ床部Ｂａ’との間に天井裏収納室Ｈを構成した以外の構成を前記図１〜図４に示されている住宅Ｗの構成と同一又は実質的に同一の構成としてある。
【００５０】
従って、前記図１〜図４に示される住宅Ｗと同一又は実質的に同一の構成部分についいては同一の番号を付して、その説明を省略する。
【００５１】
この図５〜図８において示される住宅Ｗは、下階Ａにあっても、また、上階Ｂにあっても、洋室２０’における部屋内において下げ天井部Ａｂ’や、上げ床部Ｂａ’が存在せず、通例の洋室２０’と同一の構成の洋室２０’の形態を備えて構成されることから、その使用感に問題を生ずることなく、下階Ａにあっては天井裏収納室Ｈを備えた構成とされ、また、上階Ｂにあっては、廊下２１から上がり込み用い得る明るく、かつ、清潔感に溢れた洋室２０’を構成し得る特長を有している。
【００５２】
なお、ここで構成される天井裏収納室Ｈは、外壁１１，界壁１３、間仕切り壁Ｈｃとしての間仕切り壁２７によって四周を囲まれた構成とされ、独立した空間を構成し、前記と同様に出入り口ＨｄとしてハッチＨｄ’を設け、昇降手段Ｈｅとして梯子Ｈｅ’を設けることで容易に当該天井裏収納室Ｈに出入りすることができる。
【００５３】
また、この図示例にあっても、上階Ｂにおける床面Ｂａ（厳密には当該洋室２０’を除く上階Ｂの床面Ｂａ）から上方に位置するように上げ床部Ｂａ’を設け、この上げ床部Ｂａ’を収納室天井部Ｈｂとして、また、当該手収納室天井部Ｈｂから下がった位置に収納室床部Ｈａを構成する下げ天井部Ａｂ’を備えるように構成してある。
【００５４】
かかる天井裏収納室Ｈは前記図１〜図４に示される住宅Ｗと同様に、下階Ａにおいて下方に下げられた天井面Ａｂの下げ天井部Ａｂ’を天井裏収納室Ｈの収納室床部Ｈａとし、また、上階Ｂにおいて床面Ｂａから上方に上げられた上げ床部Ｂａ’を当該天井裏収納室Ｈの収納室天井部Ｈｂとして構成してあり、かかる天井裏収納室Ｈにおける収納室床部Ｈａから収納室天井部Ｈｂに到る高さは、例えば、８０ｃｍ〜１４０ｃｍとなるように構成する。また、好ましくは、当該天井裏収納室Ｈにおける収納室床部Ｈａから収納室天井部Ｈｂに到る高さが、９０ｃｍ〜１３０ｃｍとなるように構成する。また、より好ましくは、当該天井裏収納室Ｈにおける収納室床部Ｈａから収納室天井部Ｈｂに到る高さが、９５ｃｍ〜１２５ｃｍとなるように構成する。
【００５５】
かかる天井裏収納室Ｈの構成に際して、上階Ｂにおける上げ床部Ｂａ’を、上階Ｂにおける床面Ｂａから上方に位置づけるように構成する。例えば、上階Ｂにおける上げ床部Ｂａ’を、上階Ｂにおける床面Ｂａから上方に１０ｃｍ〜４５ｃｍ上げた位置に構成する。また、好ましくは上階Ｂにおける上げ床部Ｂａ’を、上階Ｂにおける床面Ｂａから上方に２０ｃｍ〜４０ｃｍ上げた位置に構成する。また、より好ましくは上階Ｂにおける上げ床部Ｂａ’を、上階Ｂにおける床面Ｂａから上方にほぼ４０ｃｍ上げた位置に構成する。このように上階Ｂにおける上げ床部Ｂａ’を、上階Ｂにおける床面Ｂａから上方に位置づけるように構成することで、下階Ａにおける下げ天井部Ａｂ’の下げ幅を極力少なくすることができる。
【図面の簡単な説明】
【００５６】
【図１】典型的な住宅の下階を示す平断面図
【図２】同上階の平断面図
【図３】図２におけるＶ−Ｖ線矢視縦断面図
【図４】図３におけるＸ−Ｘ線矢視平断面図
【図５】典型的な他の住宅の下階を示す平断面図
【図６】同上階の平断面図
【図７】図６におけるＹ−Ｙ線矢視縦断面図
【図８】図７におけるＺ−Ｚ線矢視平断面図
【符号の説明】
【００５７】
Ｗ  住宅
Ａ  下階
Ａｂ’  下げ床部
Ｂ  上階
Ｂａ’  上げ床部
Ｈ  天井裏収納室
Ｈａ  収納室床部
Ｈｂ  収納室天井部
【図１】
2007120228.tif 000003
【図２】
2007120228.tif 000004
【図３】
2007120228.tif 000005
【図４】
2007120228.tif 000006
【図５】
2007120228.tif 000007
【図６】
2007120228.tif 000008
【図７】
2007120228.tif 000009
【図８】
2007120228.tif 000010